(57)【特許請求の範囲】
【請求項１】
細長い形状を有する本体と、
凹状の部分である収容部を備え、前記本体の先端側に前記本体と一体的に構成されるヘッド部と、
前記ヘッド部に取り付けられる外刃、および、前記ヘッド部の内部に配置され、前記外刃と対向する内刃を備え、前記外刃を支持する外刃取付台と前記内刃を支持する内刃取付台とが結合されることにより前記内刃が前記外刃の長手方向に沿うように前記外刃に対して往復動作可能な状態が形成され、前記収容部に配置される刃ブロックと、
前記内刃を前記外刃に対して往復動作させる駆動装置と、
前記刃ブロックを前記ヘッド部に取り付けること、および、前記刃ブロックを前記ヘッド部から取り外すことが可能な着脱構造とを備え、
前記外刃の長手方向が前記本体の長手方向に対して傾斜し、前記ヘッド部に沿うように前記刃ブロックが前記収容部に配置され、前記ヘッド部が前記本体よりも細いことにより、前記本体および前記ヘッド部により形成される形状が前記ヘッド部の先端部に向けて先細る棒状である
電気かみそり。
【請求項２】
前記本体の形状が細長い円筒状である
請求項１に記載の電気かみそり。
【請求項３】
前記外刃取付台に形成され、前記外刃の長手方向に並べられる複数の案内突部をさらに備える
請求項１または２に記載の電気かみそり。
【請求項４】
前記ヘッド部を覆うキャップをさらに備える
請求項１〜３のいずれか一項に記載の電気かみそり。
【発明の詳細な説明】
【技術分野】
【０００１】
本発明は外刃に対して内刃を往復動作させる電気かみそりに関する。
【背景技術】
【０００２】
電気かみそりの一種である往復式電気かみそりは、駆動子の往復運動に基づいて一対の剃り刃の一方が他方に対して往復動作して毛髭を剃るようになっている。
特許文献１には、ハウジングの端部に外刃が設けられ、その外刃の内側で内刃ブロックが往復動作するようにした髭剃り用の電気かみそりが開示されている。
【０００３】
特許文献２には、櫛刃状の固定刃と、固定刃に対し往復摺動する櫛刃状の可動刃とで、眉毛等をカットする電気かみそりが開示されている。
【先行技術文献】
【特許文献】
【０００４】
【特許文献１】特開昭６３−５７８９号公報
【特許文献２】特開平１０−１５１２８６号公報
【発明の概要】
【発明が解決しようとする課題】
【０００５】
特許文献１に開示された電気かみそりでは、外刃及び内刃ブロックがハウジングの長手方向に直交する方向に設けられている。従って、ハウジングが箱状となったり、ハウジングをグリップ状としてもハウジングと外刃及び内刃ブロックとがＴ字形となる。従って、電気かみそりの小型化に限度があるという問題点がある。
【０００６】
一方、特許文献２に開示された電気かみそりは、特許文献１のものに比して小型ではあるが、固定刃及び可動刃が櫛刃状であるため、この電気かみそりで髭を剃るには、固定刃及び可動刃の先端縁を肌面に沿って一方向にのみ摺動させる必要があり、また肌への当て方にも気を使う必要があるため、髭を剃り上げるために要する時間が長くなる。
【０００７】
また、固定刃及び可動刃を斜めに寝かせた状態で摺動させないと髭を剃ることができないとともに、構造上固定刃の刃厚が厚いので、例えば先行文献１の電気かみそりと同じ仕上がりとなる短さまでには髭を短く剃ることができない。
【０００８】
また、特許文献２に開示された電気かみそりは、そもそも髭とは異なる体毛を処理するものであるため、強いて髭剃りに用いた場合、髭の生えている肌の凹凸や平坦部に這わせていくと、櫛刃状の固定刃の先端が肌に食い込んで肌を傷めてしまうこともある。
【０００９】
さらに、肌に這わせて動かした際に、短い髭があると、櫛刃状の固定刃にとって大きな抵抗となり、円滑に髭を剃ることができない。
このように、特許文献２に開示される電気かみそりは、そもそも用途が違うため、髭を剃る器具としての機能が備わっておらず、髭を剃るには不向きである。
【００１０】
本発明の目的は往復動作する内刃により髭を効率よく剃ることが可能であり、さらに本体の小型化が可能な電気かみそりを提供することである。
【課題を解決するための手段】
【００１１】
本発明の一形態に従う電気かみそりは、細長い形状を有する本体と、凹状の部分である収容部を備え、前記本体の先端側に前記本体と一体的に構成されるヘッド部と、前記ヘッド部に取り付けられる外刃、および、前記ヘッド部の内部に配置され、前記外刃と対向する内刃を備え、前記外刃を支持する外刃取付台と前記内刃を支持する内刃取付台とが結合されることにより前記内刃が前記外刃の長手方向に沿うように前記外刃に対して往復動作可能な状態が形成され、前記収容部に配置される刃ブロックと、前記内刃を前記外刃に対して往復動作させる駆動装置と、前記刃ブロックを前記ヘッド部に取り付けること、および、前記刃ブロックを前記ヘッド部から取り外すことが可能な着脱構造とを備え、前記外刃の長手方向が前記本体の長手方向に対して傾斜し、前記ヘッド部に沿うように前記刃ブロックが前記収容部に配置され、前記ヘッド部が前記本体よりも細いことにより、前記本体および前記ヘッド部により形成される形状が前記ヘッド部の先端部に向けて先細る棒状である。
【発明の効果】
【００１６】
電気かみそりの一例によれば、往復動作する内刃により髭を効率よく剃ることが可能であり、さらに本体の小型化が可能である。
【図面の簡単な説明】
【００１７】
【図１】は第一の実施形態の電気かみそりの斜視図である。
【図２】は図１の電気かみそりを底側から視た斜視図である。
【図３】は図１の電気かみそりの断面図である。
【図４】は図１の本体およびキャップが結合された状態の斜視図である。
【図５】は図２の刃ブロックがヘッド部から分離された状態の斜視図である。
【図６】は図５の刃ブロックの拡大図である。
【図７】は図６の刃ブロックの断面図である。
【図８】は図６の刃ブロックの分解斜視図である。
【図９】は図６の外刃の平面図である。
【図１０】は図９の外刃の断面図である。
【図１１】は第二の実施形態の刃ブロックの斜視図である。
【図１２】は図１１の外刃取付台の斜視図である。
【図１３】は図１１の刃ブロックの平面図である。
【図１４】は図１１の刃ブロックの断面図である。
【図１５】は図１１の刃ブロックと髭との関係を示す断面図である（（ａ）は髭が案内突部に接触する前の状態、（ｂ）は髭が案内突部により起こされた状態、（ｃ）は髭がスリットに案内される状態）。
【図１６】は案内突部を備えない刃ブロックと髭との関係を示す断面図である（（ａ）は髭が外刃に接触する前の状態、（ｂ）は髭が外刃に接触した状態、（ｃ）は髭が外刃と肌面との間に潜り込んだ状態）。
【図１７】は第三の実施形態の外刃の斜視図である。
【図１８】は第三の実施形態の外刃の平面図である。
【図１９】は第三の実施形態の外刃の断面図である。
【図２０】は変形例の外刃の断面図である。
【発明を実施するための形態】
【００１８】
（電気かみそりが取り得る形態の一例）
〔１〕本発明の一形態に従う電気かみそりは、細長い形状を有する本体と、凹状の部分である収容部を備え、前記本体の先端側に前記本体と一体的に構成されるヘッド部と、前記ヘッド部に取り付けられる外刃、および、前記ヘッド部の内部に配置され、前記外刃と対向する内刃を備え、前記外刃を支持する外刃取付台と前記内刃を支持する内刃取付台とが結合されることにより前記内刃が前記外刃の長手方向に沿うように前記外刃に対して往復動作可能な状態が形成され、前記収容部に配置される刃ブロックと、前記内刃を前記外刃に対して往復動作させる駆動装置と、前記刃ブロックを前記ヘッド部に取り付けること、および、前記刃ブロックを前記ヘッド部から取り外すことが可能な着脱構造とを備え、前記外刃の長手方向が前記本体の長手方向に対して傾斜し、前記ヘッド部に沿うように前記刃ブロックが前記収容部に配置され、前記ヘッド部が前記本体よりも細いことにより、前記本体および前記ヘッド部により形成される形状が前記ヘッド部の先端部に向けて先細る棒状である。
〔２〕前記電気かみそりの一例によれば、前記本体の形状が細長い円筒状である。
〔３〕前記電気かみそりの一例は、前記外刃取付台に形成され、前記外刃の長手方向に並べられる複数の案内突部をさらに備える。
〔４〕前記電気かみそりの一例は、前記ヘッド部を覆うキャップをさらに備える。
【００１９】
（第一の実施形態）
図１及び図２に示す電気かみそりは、細長円筒状の本体１の先端部には刃ブロック２を取着可能としたヘッド部３が設けられるとともに、そのヘッド部３を覆うキャップ４が着脱可能に取着される。図４に示すように、本体１にキャップ４を嵌着すると、本体１とキャップ４はその外周面が連続する丸棒状となる。
前記ヘッド部３は、前記本体１を長手方向に延長するように突出されるとともに、本体１の径より小さい幅で直方体状に形成される。また、図３に示すように、前記本体１の外面の延長線Ｅ１とヘッド部３の剃面の延長線Ｅ２との間には、例えば１５度前後の角度ｘが設定されている。従って、ヘッド部３の剃面は、本体１に対し剃面の先端ほど本体１の中心軸の延長線に近づく斜面に形成されて、本体１を把持した状態で剃面すなわち後述する外刃５の上面を肌面にあてがい易くなっている。
【００２０】
図５に示すように、前記刃ブロック２は前記ヘッド部３に対し着脱可能である。前記刃ブロック２の具体的構成を図６〜図８に従って説明する。前記刃ブロック２は、図８に示すように、外刃５と、内刃６と、内刃取付台７と、外刃取付台８とで構成される。
【００２１】
前記内刃６は、金属板を断面コ字状に折り曲げて形成され、その両側辺に取付孔９が形成されている。そして、内刃６の上面には、両側辺に連なる多数のスリット６ａが設けられている。
【００２２】
前記内刃取付台７は、合成樹脂により前記内刃６の側辺間に嵌挿可能とする幅で形成され、その側面に前記内刃６の取付孔９に嵌合可能とした嵌合突部１０が形成されている。そして、内刃取付台７を内刃６に嵌合し、嵌合突部１０を取付孔９に嵌合すると、内刃６が内刃取付台７に取着される。
【００２３】
前記外刃取付台８は、合成樹脂で底辺１１の両側に底辺１１と直交する方向に延びる一対の側辺１２が形成されるとともに、その底辺１１上に前記内刃取付台７を保持可能となっている。すなわち、前記底辺１１の長手方向両側部に前記側辺１２と同方向に突出する一対の突起１３が形成され、その突起１３に一対のコイルスプリング１４の一端が保持されるようになっている。
【００２４】
前記内刃取付台７の下面には前記突起１３と等間隔で突出する一対の突起１５が形成され、その突起１５に前記コイルスプリング１４の他端を保持可能となっている。
また、前記外刃取付台８の側辺１２の基端近傍には、前後方向に突出する嵌合突部１６が形成されている。
【００２５】
前記外刃５は、金属板を断面コ字状に折り曲げて形成されるとともに、前記内刃６を収容可能とした幅が確保され、その両側辺の長手方向両端部に取付孔１７が形成されている。そして、外刃５の上面は平坦面に形成されるとともに、その上面には両側辺に連なる多数のスリット５ａが設けられている。これらのスリット５ａは、内刃６の移動方向と直交する方向に延びてその両端が閉じ、一端から他端まで連続したものとなっている。また、複数のスリット５ａ間に位置して両端が支持された桟が設けられている。
【００２６】
剃面となる外刃５の上面は、外刃５の断面コ字状の３つの外面のうち、中間に位置する面である。そして、外刃５の上面を平坦面とすることにより、肌に接触する面積を広くして、剃り効率を向上させることが可能となる。なお、肌への接触面積を広くすることができれば、完全な平坦面でなくてもよい。
【００２７】
前記外刃５を外刃取付台８に取着するには、内刃取付台７に内刃６を取着し、その内刃取付台７をコイルスプリング１４を介して外刃取付台８上に保持する。そして、内刃６に外刃５を被せて取付孔１７を嵌合突部１６に嵌合すると、図６及び図７に示す刃ブロック２が形成される。
【００２８】
なお、外刃５の取付孔１７を嵌合する外刃取付台８の嵌合突部１６及び内刃６の取付孔９を嵌合する内刃取付台７の嵌合突部１０をヒートシールしてもよい。このような構成により、外刃取付台８に外刃５を強固に取着することができるとともに、内刃取付台７に内刃６を強固に取着することができる。
【００２９】
この状態では、図７に示すように、内刃取付台７と外刃取付台８の底辺との間でコイルスプリング１４が圧縮され、外刃取付台８を支点としたコイルスプリング１４の付勢力により内刃６が外刃５に当接するようになっている。なお、コイルスプリングは、例えば板ばねとする等、同様の機能を有する他の構成としてもよい。
【００３０】
図９に示すように、前記外刃５は各スリット５ａの溝幅Ｗ１より各スリット５ａ間の桟幅Ｗ２が大きくなるように形成されている。また、図１０に示すように、外刃５の平坦面部分の厚さＴは他の部分の厚さより薄く形成されている。この結果、肌面と内刃６との間隔を小さくして、髭を短く剃ることが可能となる。
【００３１】
ここで、各桟は、剃り面である中間面から両側面まで延設され、各側面下部の壁面に繋がって支持されているため、中間面の厚さを他の部分の厚さより薄くしても、外刃として必要な強度は確保できている。
【００３２】
なお、本実施形態では、外刃の両側面は中間面に対して垂直になって各桟を支持しているが、両側面は中間面に対して必ずしも垂直である必要はない。例えば傾斜したり、湾曲したり、複数の屈曲面で形成されたりしていてもよく、外刃として必要な強度が確保できる範囲で適宜変更可能である。また、外刃が断面コ字状ではなく、一方の側面や両方の側面がないような形態をとっていたとしても、各桟の両端部が壁面等に繋がって支持されていれば、外刃として必要な強度が確保できる。
【００３３】
前記外刃取付台８の両側辺１２の外側面には係止凹部１８がそれぞれ設けられている。また、両側辺１２の先端部には互いに遠ざかる方向に庇状に突出する係止部１９が形成されている。
【００３４】
図５に示すように、前記本体１のヘッド部３は、前記刃ブロック２を収容可能とする収容部２０が設けられている。そして、図３に示すように、収容部２０は刃ブロック２の外刃取付台８の両側辺１２に設けられた係止部１９と、係止部１９の下面より上方に位置する刃の上部を除いて、刃ブロック２を収容可能とする形状に形成されている。このような構成により、刃ブロック２の上部がヘッド部３から突出しているので、剃面を肌に当て易くなる。
【００３５】
前記本体１には、前記収容部２０の基端縁近傍に解除ボタン２１が本体１の長手方向にスライド可能に支持されている。
刃ブロック２を本体１に取着するには、解除ボタン２１を本体１の基端側にスライドさせた状態で刃ブロック２を収容部２０に収め、係止部１９を収容部２０の開口縁に当接させるとともに、一方の係止凹部１８を収容部２０の内側面に設けられた突部２２に係合させる。
【００３６】
そして、解除ボタン２１を本体１の先端側に向かってスライドさせると、図３に示すように、解除ボタン２１の先端部が刃ブロック２の他方の係止凹部１８に係合して、刃ブロック２が収容部２０に保持される。
【００３７】
次に、前記内刃６を外刃５に対し往復動作させる駆動機構について説明する。図６〜図８に示すように、前記外刃取付台８の底辺１１の中央部には、外刃取付台８の長手方向に沿って長孔２３が設けられている。また、内刃取付台７には下方に向かって開口する嵌合凹部２４が形成されている。
【００３８】
図３に示すように、前記本体１の基端部にはバッテリー２５が収容され、そのバッテリー２５に隣接してモーター２６が配設されている。図２に示すように、本体１の長手方向中央部にはスイッチ２７が本体１の長手方向にスライド可能に支持されている。そして、スイッチ２７をスライドさせることにより、モーター２６への電源の供給を入切して、モーター２６の作動状態と停止状態とのいずれかを選択可能となっている。
【００３９】
前記モーター２６の出力軸２８の回転は、トルク変換機構２９に伝達される。トルク変換機構２９は前記モーター２６の出力軸２８の回転を往復運動に変換する。
前記トルク変換機構２９の出力軸３０には、アーム３１の基端部が取着されている。そして、モーター２６が回転すると、アーム３１が本体１の長手方向に沿って往復動作するようになっている。
【００４０】
前記アーム３１の先端部は、同アーム３１の長手方向に直交する方向に屈曲され、前記外刃取付台８の長孔２３を貫通し、前記内刃取付台７の嵌合凹部２４に嵌合されている。そして、アーム３１の往復動作に基づいて内刃６が往復動作するようになっている。
【００４１】
次に、上記のように構成された電気かみそりの作用を説明する。
この電気かみそりでひげを剃る場合には、本体１の基端部を把持した状態でスイッチ２７を操作してモーター２６を作動させると、内刃６が外刃５内で往復動作する状態となる。
【００４２】
この状態で、外刃５の上面を肌面にあてがい、外刃５をその長手方向に直交する方向に往復動作すると、外刃５のスリット５ａから内刃６のスリット６ａに髭が進入し、その髭が外刃５と内刃６との接触面上で切断されて剃りとられる。
【００４３】
このとき、剃り面の各桟やスリットは、外刃の一側面から他の側面まで連続して延設されているので、各桟やスリットの端部が肌に当たって肌を痛めるようなことはなく、滑らかな肌当たりが得られ、肌に優しいシェービングを実現することができる。
【００４４】
髭を剃った後に、刃ブロック２を清掃する場合には、解除ボタン２１を本体１の基端側にスライドさせる。すると、解除ボタン２１の先端部と刃ブロック２の係止凹部１８との係合が外れ、刃ブロック２を収容部２０から取り出し可能となる。
【００４５】
そして、収容部２０から取り出した刃ブロック２を水洗い等により清掃可能であり、収容部２０内も清掃可能である。
清掃後は、刃ブロック２を収容部２０内に収容するとともにアーム３１の先端部を嵌合凹部２４に嵌合し、かつ刃ブロック２の一方の係止凹部１８を収容部２０の突部２２に係合させ、係止部１９を収容部２０の開口縁に係合させる。そして、解除ボタン２１を本体１の先端側にスライドさせると、解除ボタン２１の先端が刃ブロック２の係止凹部１８に係合して、刃ブロック２が収容部２０に保持される。
【００４６】
上記のような電気かみそりでは、次に示す効果を得ることができる。
（１）外刃５内で内刃６が往復動作する刃ブロック２を本体１に取着して、その刃ブロック２をその長手方向に直交する方向に肌面上で往復方向に移動させることにより、髭を効率よく剃ることができる。
（２）刃ブロック２を取着した直方体状のヘッド部３を本体１の先端部に該本体１を延長する方向に設けたので、ヘッド部３を備えた本体１を小型化することができる。
（３）ヘッド部３に取着した外刃５の剃面を、本体１の軸方向に対し傾斜させ、詳しくは剃面の先端ほど本体１の中心軸の延長線に近づく斜面に形成したので、本体１を把持した状態でヘッド部３の剃面を肌面にあてがい易い。
（４）ヘッド部３の厚さを本体１の径より小さくしたので、ヘッド部３を肌面の所望位置にあてがい易い。
（５）ヘッド部３では、外刃５内で内刃６を往復動作させる構成としたので、肌面を傷つけることなく、特許文献２に開示された電気かみそりよりも、髭を充分に短く剃ることができる。
（６）外刃５を断面コ字状として、剃面を平坦面とすることができるので、肌に剃面をあてがいやすい。
（７）外刃５及び内刃６をヘッド部３に対し着脱可能としたので、外刃５及び内刃６と、ヘッド部３の清掃が容易である。
【００４７】
以上のように、本実施形態では、特許文献１，２に開示された電気かみそりの課題（髭は剃れるが小型化困難、小型だが髭剃り不適）を同時に解決することができ、良好な髭剃り性能と小型化を両立させることができる。そして、髭剃り用の電気かみそりを衣類のポケットやペンケース等に収容して携帯するというような、従来にはなかった使い勝手を提供することができる。
【００４８】
（第二の実施形態）
図１１〜図１５は、第二の実施形態を示す。この実施形態は、外刃５のスリット５ａに髭を案内する櫛状部を外刃取付台８に設けたものである。その他の構成は、前記第一の実施形態と同様である。第一の実施形態と同一構成部分は、同一符号を付して説明する。
図１１に示すように、外刃取付台８の側辺１２の上端部間には連結枠３２が設けられて外刃５を挿入可能とした四角枠が形成されている。前記連結枠３２には上方へ櫛状に突出する多数の案内突部３３が形成されている。
【００４９】
各案内突部３３のピッチは、前記スリット５ａのピッチと同一であり、図１３に示すように、前記各スリット５ａが前記案内突部３３間に位置するように形成されている。
各案内突部３３の先端は、図１４に示すように、前記外刃５の平坦面から若干低い位置まで突出されるとともに、案内突部３３の上端部の角部に設けられた曲面部３４の径は、外刃５の平坦部両側に設けられる曲面部３５の径より充分小さい径で形成されている。
【００５０】
このような案内突部３３を備えた電気かみそりを使用して髭を剃る場合の動作を図１５に従って説明する。図１５（ａ）に示すように、外刃５の平坦面を肌面Ｓにあてがって矢印方向に移動させるとき、髭Ｈが肌面Ｓに沿った状態であっても、同図（ｂ）に示すように、案内突部３３で髭Ｈが起こされ、その状態で髭Ｈが外刃５のスリット５ａ内に案内される。
【００５１】
案内突部３３が設けられない状態で髭を剃る場合には、図１６（ａ）に示す状態から同図（ｂ）に示すように肌面Ｓに沿った髭Ｈがスリット５ａに案内されようとすると、髭Ｈが外刃５の曲面部３５部分のスリット５ａに当接する。すると、図１６（ｃ）に示すように、髭Ｈは起こされずに外刃５の平坦面と肌面Ｓとの間に潜り込んでしまうこともあり得る。
【００５２】
この実施形態では、案内突部３３の曲面部３４の径が外刃５の曲面部３５の径より充分小さいため、図１５に示すように、肌面Ｓに沿った髭Ｈを案内突部３３の曲面部より下方（図１５における下方）で当接させることにより、肌面Ｓに沿った髭Ｈを起こし易くなる。
【００５３】
なお、案内突部３３は、全てのスリット５ａ間に設けてもよいし、例えば５ピッチ毎に設ける等、適宜間引いて設けてもよい。前者の場合は、髭を起こす効率が比較的高くなるし、後者の場合は、肌への刺激を比較的少なくすることができる。
【００５４】
また、案内突部３３の先端と平坦面との高低差は、適宜設定可能であるが、高低差が小さいほど髭起こし効率が上がり、高低差が大きいほど肌への刺激を小さくすることができる。
【００５５】
また、案内突部３３の曲面部３４の径も適宜設定可能であるが、径を小さくすると髭起こし効率が上がり、径を大きくすると肌への刺激を小さくすることができる。
また、案内突部３３の上面は、外刃５に近い側の端部が外刃５と同程度の高さで、外刃５から遠い側の端部が外刃５よりも低い傾斜や、曲面、円弧面としてもよい。このような構成により、肌への接触がより滑らかなものとなる。
【００５６】
このように、案内突部３３は、その数や突出高さ、曲面部３４の径、上面形状等、髭起こし効果を奏する範囲で適宜変更可能である。
この実施形態の電気かみそりでは、第一の実施形態で得られた効果に加えて、次に示す効果を得ることができる。
（１）肌面Ｓに沿った髭Ｈを案内突部３３で外刃５のスリット５ａに案内することができるので、肌面Ｓに沿った髭Ｈを容易に剃ることができる。
【００５７】
（第三の実施形態）
図１７〜図１９は、第三の実施形態を示す。この実施形態は、第一の実施形態に対し外刃の形状を一部変更したものである。その他の構成は、第一の実施形態と同様である。
図１７及び図１８に示すように、外刃５の幅方向両側でのスリット５ａの幅Ｗ３が幅方向中央部での幅Ｗ４より広く形成されている。
また、図１９に示すように、外刃５の平坦面とその両側の曲面部３５との間に面取り状の斜面部３６が形成されている。
【００５８】
この実施形態の電気かみそりでは、第一の実施形態で得られた効果に加えて、次に示す効果を得ることができる。
（１）外刃５の幅方向両側でのスリット５ａの幅Ｗ３を広くしたので、スリット５ａ内に髭を案内し易くなる。従って、髭を効率よく剃ることができる。
（２）外刃５の平坦面と曲面部３５との間に斜面部３６を介在させたので、斜面部３６や曲面部３５においてスリット５ａの端縁の肌面への食い込みをより良く和らげることができる。従って、肌面への刺激を低減しながら、髭を円滑に剃ることができる。また、外刃５の幅方向両側でのスリット５ａの幅Ｗ３を広くし、かつ外刃５の平坦面と曲面部３５との間に斜面部３６を介在させることで、それぞれの効果が同時に発揮され、髭を効率よく剃ることができるとともに、肌面への刺激を低減することができるので、髭をより円滑に、良好に剃ることができる。
また、斜面部３６による効果については、図２０に示すように、外刃５の上面全体を緩やかな曲面部３７としても、同様な効果を得ることができる。
なお、斜面部３６を形成したり、外刃５の上面を緩やかな曲面部としても、肌への押し当てを考慮すると、肌との接触面積が減少することはないので、剃り効率は損なわれない。（むしろ、外刃５の上面の面積が多少なりとも増大する分、剃り効率は向上する。）
（変形例）
上記各実施形態に示される電気かみそりの構成は本発明に従う電気かみそりが取り得る形態の一例である。本発明に従う電気かみそりは例えば以下に示されるとおり上記各実施形態とは別の形態を取り得る。
・変形例の一例によれば、外刃５のスリット５ａ及び内刃６のスリット６ａの延びる方向が内刃６の往復動作の方向に直交しない斜め方向である。
・変形例の一例によれば、各実施形態の構成が適宜組み合わせられる。この構成によれば、各実施形態により得られる効果が組み合わせられた効果が得られる。
【００５９】
（課題を解決するための手段に関する付記）
〔付記１〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記本体の形状が細長い円筒状である
電気かみそり。
〔付記２〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記外刃の長手方向が前記本体の長手方向に対して傾斜する
電気かみそり。
〔付記３〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記ヘッド部の形状が前記本体よりも細い直方体状である
電気かみそり。
〔付記４〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記ヘッド部の正面側の部分に前記外刃が配置され、
前記ヘッド部の背面側の部分が前記本体の長手方向に沿う壁である
電気かみそり。
〔付記５〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記本体は前記駆動装置を収容する先側の部分、および、前記駆動装置に電力を供給する電源を収容する底側の部分を備え、
前記先側の部分の先端側に前記ヘッド部が形成され、
前記先側の部分が前記底側の部分よりも細く、
前記ヘッド部が前記先側の部分よりも細い
電気かみそり。
〔付記６〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記外刃の長手方向に並べられる複数の案内突部をさらに備える
電気かみそり。
〔付記７〕
前記外刃は前記外刃の長手方向に並べられる複数の桟を備え、
前記案内突部の先端面の位置が前記桟の平坦面の位置よりも低い
付記６に記載の電気かみそり。
〔付記８〕
前記外刃は前記外刃の長手方向に並べられる複数の桟、および、前記桟の端部に形成される曲面部を備え、
前記案内突部は、前記案内突部の上端部の角に形成され、前記外刃の曲面部よりも曲率が大きい曲面部を備える
付記６に記載の電気かみそり。
〔付記９〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記外刃は前記外刃の長手方向において交互に並べられる複数の桟および複数のスリットを備え、
前記外刃の長手方向における前記桟の幅が前記外刃の長手方向における前記スリットの幅よりも広い
電気かみそり。
〔付記１０〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記外刃は、前記外刃の長手方向に延びる一対の壁、前記外刃の長手方向に並べられる複数の桟、および、前記桟の端部と前記壁とを接続する柱を備え、
前記桟が前記柱よりも薄い
電気かみそり。
〔付記１１〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記外刃は前記外刃の長手方向に並べられる複数のスリットを備え、
前記スリットの端部の幅が前記スリットの中間部の幅よりも広い
電気かみそり。
〔付記１２〕
細長い形状を有する本体と、
前記本体の先端側に形成されるヘッド部と、
前記ヘッド部に取り付けられる外刃と、前記ヘッド部の内部に配置され、前記外刃と対向する内刃とが結合されたブロックである刃ブロックと、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記刃ブロックを前記ヘッド部に取り付けること、および、前記刃ブロックを前記ヘッド部から取り外すことが可能な着脱構造をさらに備える
電気かみそり。
〔付記１３〕
細長い形状を有する本体と、
前記本体の先端側に形成されるヘッド部と、
前記ヘッド部に取り付けられる外刃と、
前記ヘッド部の内部に配置され、前記外刃と対向する内刃と、
前記内刃を前記外刃に対して往復動作させる駆動装置と
を備え、
前記本体および前記ヘッド部により形成される形状が棒状であり、
前記外刃および前記内刃が前記ヘッド部に沿うように配置され、
前記内刃の往復動作の方向が前記外刃の長手方向に沿う方向であり、
前記ヘッド部を覆うキャップをさらに備える
電気かみそり。
〔付記１４〕
前記外刃の長手方向が前記本体の長手方向に対して傾斜する
付記１〜１３のいずれか一項に記載の電気かみそり。
〔付記１５〕
前記本体の外面が前記本体の長手方向に延長して形成される仮想の線分と、前記外刃の上面が前記外刃の長手方向に延長して形成される仮想の線分との成す角が所定の角度に設定され、
前記所定の角度は前記外刃の上面を肌面にあてがい易い角度である
付記１４に記載の電気かみそり。
〔付記１６〕
前記内刃が前記外刃に対して前記往復動作できるように前記外刃および前記内刃が結合されることにより刃ブロックが構成され、
前記刃ブロックを前記ヘッド部に取り付けること、および、前記刃ブロックを前記ヘッド部から取り外すことが可能な着脱構造を備える
付記１〜１５のいずれか一項に記載の電気かみそり。
〔付記１７〕
前記刃ブロックが収容される凹状の部分である収容部が前記ヘッド部に形成される
付記１６に記載の電気かみそり。
〔付記１８〕
前記刃ブロックを前記ヘッド部から取り外すための解除ボタンをさらに備える
付記１６または１７に記載の電気かみそり。
〔付記１９〕
前記解除ボタンが前記ヘッド部の根本側に形成される
付記１８に記載の電気かみそり。
〔付記２０〕
前記解除ボタンがスライド式のボタンであり、そのスライド方向が前記本体の長手方向と実質的に同一である
付記１８または１９に記載の電気かみそり。
〔付記２１〕
前記本体は前記駆動装置を収容する先側の部分、および、前記駆動装置に電力を供給する電源を収容する底側の部分を備え、
前記先側の部分の先端側に前記ヘッド部が形成され、
前記先側の部分が前記底側の部分よりも細く、
前記ヘッド部が前記先側の部分よりも細い
付記１〜２０のいずれか一項に記載の電気かみそり。
〔付記２２〕
前記ヘッド部を覆うキャップをさらに備える
付記１〜２１のいずれか一項に記載の電気かみそり。
〔付記２３〕
前記本体に前記キャップが取り付けられた状態における前記本体および前記キャップの形状が棒状である
付記２２に記載の電気かみそり。
〔付記２４〕
前記本体は前記駆動装置を収容する先側の部分、および、前記駆動装置に電力を供給する電源を収容する底側の部分を備え、
前記先側の部分の先端側に前記ヘッド部が形成され、
前記先側の部分が前記底側の部分よりも細く、
前記キャップは前記ヘッド部および前記先側の部分を覆う
付記２２または２３に記載の電気かみそり。
〔付記２５〕
前記駆動装置の動作をオンおよびオフするスイッチをさらに備え、
前記スイッチが前記先側の部分に形成される
付記２４に記載の電気かみそり。
〔付記Ａ〕
細長い形状を有する本体と、
前記本体の先端側に形成されるヘッド部と、
前記ヘッド部に取り付けられ、剃面を形成する外刃と、
前記ヘッド部の内部において前記外刃の内側に配置される内刃と、
前記内刃を前記外刃に対して往復動作させる駆動装置と
を備え、
前記内刃の長手方向および前記内刃の往復動作の方向が前記本体の長手方向に対して傾斜する
電気かみそり。
〔付記Ｂ〕
前記外刃は前記内刃の往復動作の方向と直交する方向に延びる複数のスリットと、隣り合う前記スリットの間に位置し、両端が支持される桟と
を備える
付記Ａに記載の電気かみそり。
〔付記Ｃ〕
前記外刃の断面形状がＵ字状である
付記ＡまたはＢに記載の電気かみそり。
〔付記Ｄ〕
前記外刃の長手方向が前記本体の長手方向に対して傾斜する
付記Ａ〜Ｃのいずれか一項に記載の電気かみそり。
〔付記Ｅ〕
前記ヘッド部が前記本体よりも細い
付記Ａ〜Ｄのいずれか一項に記載の電気かみそり。
〔付記Ｆ〕
前記外刃および前記内刃が前記本体から取り外し可能な着脱構造を備える
付記Ａ〜Ｅのいずれか一項に記載の電気かみそり。
〔付記Ｇ〕
前記外刃の隣に形成され、前記外刃に髭を案内する櫛状の案内突部をさらに備える
付記Ａ〜Ｆのいずれか一項に記載の電気かみそり。
【符号の説明】
【００６０】
１    ：本体
２    ：刃ブロック
３    ：ヘッド部
４    ：キャップ
５    ：外刃
５ａ  ：スリット
６    ：内刃
６ａ  ：スリット
７    ：内刃取付台
８    ：外刃取付台
９    ：取付孔
１０  ：嵌合突部
１１  ：底辺
１２  ：側辺
１３  ：突起
１４  ：コイルスプリング
１５  ：突起
１６  ：嵌合突部
１７  ：取付孔
１８  ：係止凹部
１９  ：係止部
２０  ：収容部
２１  ：解除ボタン
２２  ：突部
２３  ：長孔
２４  ：嵌合凹部
２５  ：バッテリー
２６  ：モーター（駆動装置）
２７  ：スイッチ
２８  ：出力軸
２９  ：トルク変換機構
３０  ：出力軸
３１  ：アーム（駆動装置）
３２  ：連結枠
３３  ：案内突部
３４  ：曲面部
３５  ：曲面部
３６  ：斜面部
３７  ：曲面部
Ｈ    ：髭
Ｓ    ：肌面
Ｅ１  ：延長線
Ｅ２  ：延長線
ｘ    ：角度
Ｔ    ：厚さ
Ｗ１  ：溝幅
Ｗ２  ：桟幅
Ｗ３  ：幅
Ｗ４  ：幅
【図１】
0005879531.tif 000002
【図２】
0005879531.tif 000003
【図３】
0005879531.tif 000004
【図４】
0005879531.tif 000005
【図５】
0005879531.tif 000006
【図６】
0005879531.tif 000007
【図７】
0005879531.tif 000008
【図８】
0005879531.tif 000009
【図９】
0005879531.tif 000010
【図１０】
0005879531.tif 000011
【図１１】
0005879531.tif 000012
【図１２】
0005879531.tif 000013
【図１３】
0005879531.tif 000014
【図１４】
0005879531.tif 000015
【図１５】
0005879531.tif 000016
【図１６】
0005879531.tif 000017
【図１７】
0005879531.tif 000018
【図１８】
0005879531.tif 000019
【図１９】
0005879531.tif 000020
【図２０】
0005879531.tif 000021